(57)【要約】      （修正有）【課題】利便性を向上させた開閉対象を開閉するための開閉装置を提供する。【解決手段】開閉装置２０は、開閉対象である扉１２を閉じた状態にロックするためのロック機構２４ａ、２４ｂと、扉１２の内側の面に沿った方向に移動可能に設けられ、所定の解除位置に移動されたときにロック機構２４ａ、２４ｂによる扉１２のロックが解除されるように構成された移動体であるレバー２１と、扉１２が外側から押されたことによってレバー２１を解除位置に移動させるための移動機構２３ａ、２３ｂと、を備える。【選択図】図１
2020158989.tif 000002
【特許請求の範囲】
【請求項１】
開閉対象を閉じた状態にロックするためのロック機構と、
前記開閉対象の内側の面に沿った方向に移動可能に設けられ、所定の解除位置に移動されたときに前記ロック機構による前記開閉対象のロックが解除されるように構成された移動体と、
前記開閉対象が外側から押されたことによって前記移動体を前記解除位置に移動させるための移動機構と、
を備える、
開閉装置。
【請求項２】
前記移動機構は、
前記開閉対象を開くために前記開閉対象が外側から押される方向に対して傾いた斜面を有する第１部材と、
前記開閉対象が外側から押されたときに前記斜面を押すように構成された第２部材と、
を備え、
前記第１部材と前記第２部材の少なくとも一方が相対移動することによって前記移動体が移動するように構成される、
請求項１に記載の開閉装置。
【請求項３】
前記移動機構は、前記開閉対象の少なくとも１つの辺にわたって設けられる、
請求項１又は２に記載の開閉装置。
【請求項４】
前記ロック機構は、前記開閉対象と前記移動体の一方に設けられた第１被係止部と、他方に設けられた第１係止部と、を備え、
前記第１係止部が前記第１被係止部を係止することによって前記開閉対象が閉じた状態にロックされ、
前記移動体が前記解除位置まで移動したときに前記第１係止部と前記第１被係止部との係合が外れることによって前記開閉対象のロックが解除される、
請求項１から３のいずれかに記載の開閉装置。
【請求項５】
前記移動体が初期位置から前記解除位置に向けて移動したときに前記初期位置に戻る方向へ前記移動体を付勢するための付勢部を備える、
請求項４に記載の開閉装置。
【請求項６】
前記移動体が前記解除位置に移動したときに、前記解除位置又は前記解除位置から更に移動した位置に前記移動体を維持するための維持機構を備える、
請求項５に記載の開閉装置。
【請求項７】
前記維持機構は、前記開閉対象と前記移動体の一方に設けられた第２被係止部と、他方に設けられた第２係止部と、を備え、
前記第２係止部が前記第２被係止部を係止することによって前記ロック機構による前記開閉対象のロックが解除される位置に前記移動体が維持され、
前記開閉対象が開かれたときに前記第２係止部と前記第２被係止部との係合が外れることによって前記移動体が前記付勢部により前記初期位置に戻される、
請求項６に記載の開閉装置。
【請求項８】
前記初期位置から前記第１係止部と前記第１被係止部との係合が外れる位置までの前記移動体の移動距離よりも、前記初期位置から前記第２係止部により前記第２被係止部が係止されるまでの前記移動体の移動距離の方が長い、
請求項７に記載の開閉装置。
【請求項９】
前記開閉対象を閉じるときに前記第１係止部により前記第１被係止部を係止させるために前記開閉対象を外側から押すときの荷重と、前記開閉対象を開くときに前記移動体を前記初期位置から前記解除位置まで移動させるために前記開閉対象を外側から押すときの荷重とが異なるように構成される、
請求項８に記載の開閉装置。
【発明の詳細な説明】
【技術分野】
【０００１】
本開示は、開閉対象を開閉するための開閉装置に関する。
【背景技術】
【０００２】
キャビネットなどの収納家具の扉又は引き出しや、家電機器の操作入力ボタンやディスクドライブなどを保護するための扉などを開閉するための機構として、ラッチを利用したドアロック装置が提供されている（例えば、特許文献１参照）。
【０００３】
特許文献１には、ドアを押すことによりドアをロックし、ドアを再度押すことによりロックを解除するワン・ウェイ方式のドアロック装置が開示されている。
【先行技術文献】
【特許文献】
【０００４】
【特許文献１】特開昭５９−５２４０１号公報
【発明の概要】
【発明が解決しようとする課題】
【０００５】
特許文献１に記載されたドアロック装置のように、ラッチを用いてワン・ウェイ方式を実現する場合、ラッチから遠い位置を押すと、ドアのがたつきや剛性不足のためにラッチを押し切ることができず、ロックが解除されずドアが開かないことがある。
【０００６】
本開示はこうした状況に鑑みてなされたものであり、その目的は、開閉対象を開閉するための開閉装置の利便性を向上させることにある。
【課題を解決するための手段】
【０００７】
上記課題を解決するために、本発明のある態様の開閉装置は、開閉対象を閉じた状態にロックするためのロック機構と、開閉対象の内側の面に沿った方向に移動可能に設けられ、所定の解除位置に移動されたときにロック機構による開閉対象のロックが解除されるように構成された移動体と、開閉対象が外側から押されたことによって移動体を解除位置に移動させるための移動機構と、を備える。
【発明の効果】
【０００８】
本発明によれば、開閉対象を開閉するための開閉装置の利便性を向上させることができる。
【図面の簡単な説明】
【０００９】
【図１】本開示の実施の形態に係る開閉装置の構成を示す図である。
【図２】扉が閉じられたときの表示ユニットを示す図である。
【図３】扉が開かれるときの表示ユニットを示す図である。
【図４】扉が開いたときの表示ユニットを示す図である。
【図５】本開示の実施の形態に係る開閉装置の別の構成例を示す図である。
【発明を実施するための形態】
【００１０】
本開示の実施の形態として、扉を開閉するための開閉装置について説明するが、本開示の開閉装置により開閉可能な開閉対象は扉に限られない。本開示の開閉装置は、引き出しや容器の蓋など、任意の開閉対象を開閉する装置として利用可能である。
【００１１】
図１は、本開示の実施の形態に係る開閉装置の構成を示す。図１（ａ）は、扉１２が設けられた表示ユニット１０の正面図であり、図１（ｂ）は、Ａ−Ａ断面図である。表示ユニット１０は、表示画面を表示するためのパネル１１と、表示ユニット１０が備えるディスクドライブや操作入力用のボタンなどを保護するために開閉可能に設けられた扉１２と、扉１２を表示ユニット１０に軸支するための回転軸１３と、扉１２を開閉するための開閉装置２０とを備える。
【００１２】
扉１２が閉じられているときには、扉１２は開閉装置２０により閉じた状態にロックされている。使用者が扉１２の上部を手で押し込むと、開閉装置２０の作用により扉１２のロックが解除される。その後、使用者が扉１２から手を離すと、扉１２が回転軸１３を中心として使用者側に回転して開かれる。
【００１３】
開閉装置２０は、扉１２を閉じた状態にロックするためのロック機構と、扉１２の内側の面に沿った方向に移動可能に設けられ、所定の解除位置に移動されたときにロック機構による扉１２のロックが解除されるように構成された移動体と、扉１２が外側から押されたことによって移動体を解除位置に移動させるための移動機構とを備える。
【００１４】
図１（ｃ）は、表示ユニット１０を裏側から見た補助投影図である。扉１２が閉じられたときに扉１２の上部が面する位置に、本開示の移動体の一例であるレバー２１が設けられる。レバー２１は、扉１２が外側から押されたことによって、扉１２の内側の面に沿って本図における右方向に移動する。レバー２１は、本開示の付勢部の一例であるバネ２２により本図における左方向へ付勢されている。
【００１５】
図１（ｄ）は、扉１２の斜視図であり、図１（ｅ）は、レバー２１の斜視図である。扉１２の内側の面、すなわち扉１２が閉じられた状態においてレバー２１に対向する面と、レバー２１の前面、すなわち扉１２が閉じられた状態において扉１２に対向する面には、レバー２１を移動させるための１対の移動機構２３ａ、２３ｂが設けられる。移動機構２３ａ、２３ｂは、扉１２が外側から押されたことによって、レバー２１を解除位置に移動させる。
【００１６】
扉１２の内側の面とレバー２１の前面には、扉１２を閉じた状態にロックするためのロック機構２４ａ、２４ｂが設けられる。扉１２が閉じられるときには、ロック機構２４ａがロック機構２４ｂを係止することによって、扉１２が閉じた状態にロックされる。扉１２が開かれるときには、レバー２１が解除位置まで移動したときにロック機構２４ａとロック機構２４ｂとの係合が外れることによって、扉１２のロックが解除される。
【００１７】
扉１２の内側の面とレバー２１の前面には、扉１２を開くためにレバー２１が解除位置に移動されたときに、レバー２１を解除位置又は解除位置から更に移動した位置に維持するための１対の維持機構２５ａ、２５ｂが設けられる。本実施の形態では、レバー２１はバネ２２により元の初期位置に戻る方向に付勢されているので、使用者が扉１２を開けるために扉１２を押し込んだ後、手を離すタイミングが遅いと、レバー２１がバネ２２により解除位置よりも初期位置に近い位置に戻っていることがある。この場合、ロック機構２４ａと２４ｂは再び係合しているので、扉１２が開かない。したがって、本実施の形態では、扉１２を開くために扉１２が外側から押し込まれたときに、レバー２１が解除位置まで移動すると、維持機構２５ｂが維持機構２５ａを係止することによって、扉１２のロックが解除される位置にレバー２１を維持する。これにより、使用者の操作ミスなどにより扉１２が開かない事態を低減させることができる。扉１２が開かれると、維持機構２５ａと維持機構２５ｂとの係合が外れることによって、レバー２１がバネ２２により初期位置に戻される。
【００１８】
扉１２は、図示しないバネにより開方向に付勢されていてもよい。これにより、ロック機構２４ａ、２４ｂによるロックが解除されたときに、自動的に扉１２が全開状態まで開くように構成することができるので、使用者の利便性を向上させることができる。維持機構２５ａ、２５ｂの係合部分に角度をつけ、レバー２１がバネ２２により初期位置に戻される動きを利用して、扉１２がポップアップするように構成してもよい。
【００１９】
扉１２を閉じるときには、レバー２１は初期位置に戻されているので、ロック機構２４ａとロック機構２４ｂが当接する。ロック機構２４ａとロック機構２４ｂの一方又は双方は、可撓性を有する樹脂などにより形成されており、使用者が扉１２の上部を押し込むと、ロック機構２４ａとロック機構２４ｂの一方又は双方が撓んで両者が係合し、扉１２が閉じた状態にロックされる。このような構成により、扉１２の上部を押し込む操作により、扉１２を閉じることも開くことも可能なワン・ウェイ方式の開閉装置を実現することができる。
【００２０】
移動機構２３ａ、２３ｂ、ロック機構２４ａ、２４ｂ、及び維持機構２５ａ、２５ｂの詳細について、図２以降を参照して更に説明する。
【００２１】
図２は、扉１２が閉じられたときの表示ユニット１０を示す。図２〜図４では、パネル１１の図示を省略している。図２（ａ）は、扉１２が閉じられたときの表示ユニット１０の平面図であり、図２（ｂ）は、正面図であり、図２（ｃ）は、右側面図であり、図２（ｄ）は、Ｂ−Ｂ断面図であり、図２（ｅ）は、Ｃ−Ｃ断面図であり、図２（ｆ）は、Ｄ−Ｄ断面図である。扉１２が閉じられた状態では、レバー２１は初期位置にある。
【００２２】
図２（ｅ）に示すように、レバー２１に設けられた移動機構２３ｂは、扉１２を開くために扉１２が外側から押される方向、すなわち本図における上下方向に対して傾いた斜面２６ｂを複数有する鋸歯状の形状を有し、本開示の第１部材として機能する。また、扉１２に設けられた移動機構２３ａは、扉１２が外側から押されたときに斜面２６ｂを押す突起２６ａを複数有する鋸歯状の形状を有し、本開示の第２部材として機能する。扉１２が外側から押されると、複数の突起２６ａのそれぞれが複数の斜面２６ｂを本図における上方向に押すことによって、移動機構２３ｂが移動機構２３ａに対して相対移動する。これにより、レバー２１が本図における左方向に移動する。
【００２３】
図２（ｆ）に示すように、扉１２に設けられたロック機構２４ａは、本開示の第１被係止部として機能する。また、レバー２１に設けられたロック機構２４ｂは、本開示の第１係止部として機能する。扉１２が閉じられた状態では、ロック機構２４ｂがロック機構２４ａを係止することによって扉１２が閉じた状態にロックされる。扉１２を開くときには、レバー２１が本図における左方向に移動して解除位置に達したときに、ロック機構２４ａとロック機構２４ｂとの係合が外れることによって扉１２のロックが解除される。
【００２４】
図２（ｄ）に示すように、扉１２に設けられた維持機構２５ａは、本開示の第２被係止部として機能する。また、レバー２１に設けられた維持機構２５ｂは、本開示の第２係止部として機能する。維持機構２５ｂは、可撓性を有する樹脂などにより形成されており、扉１２の上部が押し込まれてレバー２１が本図における左方向に移動すると、維持機構２５ａの突起の斜面をせり上がる。維持機構２５ｂが維持機構２５ａの突起を乗り越えて突起の左側まで達すると、維持機構２５ｂが維持機構２５ａを係止することによって、ロック機構２４ａ、２４ｂによる扉１２のロックが解除される位置にレバー２１が維持される。
【００２５】
扉１２を閉じるときには、レバー２１が初期位置にあるので、ロック機構２４ａとロック機構２４ｂとが当接するが、ロック機構２４ａとロック機構２４ｂとが当接する面に傾斜がつけられているので、容易にロック機構２４ａとロック機構２４ｂとを係合させて扉１２を閉じた状態にロックすることができる。
【００２６】
使用者が扉１２を閉じるときに、ロック機構２４ａとロック機構２４ｂとが係合した後、更に扉１２を手で押し込むと、移動機構２３ａ、２３ｂによりレバー２１が移動され、ロック機構２４ａとロック機構２４ｂとの係合が外れて、扉１２が再び開いてしまう。したがって、本実施の形態では、扉１２を閉じるときにロック機構２４ｂによりロック機構２４ａを係止させるために扉１２を外側から押すときの荷重と、扉１２を開くときにレバー２１を初期位置から解除位置まで移動させるために扉１２を外側から押すときの荷重とが異なるように構成される。これにより、使用者が扉１２を閉じるために扉１２を手で押しているときに、ロック機構２４ａ、２４ｂが係合して扉１２がロックされるタイミングを荷重の違いにより認識することができるので、扉１２を手で押し過ぎて扉１２が再び開いてしまう事態を低減させることができる。
【００２７】
また、本実施の形態では、初期位置からロック機構２４ａとロック機構２４ｂとの係合が外れる位置までのレバー２１の移動距離Ｘ２（図２（ｆ））よりも、初期位置から維持機構２５ｂにより維持機構２５ａが係止されるまでのレバー２１の移動距離Ｘ１（図２（ｄ））の方が長い。これにより、扉１２を閉じるときに誤って維持機構２５ａと維持機構２５ｂとが係合してレバー２１が固定されてしまう事態を低減させることができる。
【００２８】
図３は、扉１２が開かれるときの表示ユニット１０を示す。図３（ａ）は、扉１２が開かれるときの表示ユニット１０の平面図であり、図３（ｂ）は、正面図であり、図３（ｃ）は、右側面図であり、図３（ｄ）は、Ｂ−Ｂ断面図であり、図３（ｅ）は、Ｃ−Ｃ断面図であり、図３（ｆ）は、Ｄ−Ｄ断面図である。
【００２９】
図３（ｃ）に示すように、扉１２の上部が外側から押し込まれると、図３（ｅ）に示すように、移動機構２３ａの突起２６ａが移動機構２３ｂの斜面２６ｂを押して、レバー２１が本図における左方向に移動する。レバー２１が本図に示す解除位置に達すると、図３（ｆ）に示すように、ロック機構２４ａとロック機構２４ｂとの係合が外れ、扉１２のロックが解除される。また、維持機構２５ｂが維持機構２５ａを係止することによりレバー２１が固定される。なお、図３（ｅ）に示すように、移動機構２３ａと移動機構２３ｂは嵌合する形状を有しており、扉１２が押し込まれて移動機構２３ａと移動機構２３ｂが嵌合すると、それ以上は押し込まれないように構成されている。これにより、レバー２１が必要以上に移動しないようにすることができる。
【００３０】
図４は、扉１２が開いたときの表示ユニット１０を示す。図４（ａ）は、扉１２が開いたときの表示ユニット１０の平面図であり、図４（ｂ）は、正面図であり、図４（ｃ）は、右側面図であり、図４（ｄ）は、Ｂ−Ｂ断面図であり、図４（ｅ）は、Ｃ−Ｃ断面図であり、図４（ｆ）は、Ｄ−Ｄ断面図である。
【００３１】
扉１２が回転軸１３を中心として下方向に回転して開いたとき、図４（ｃ）に示すように、扉１２が水平になる位置で全開となって維持されるように構成されている。別の例では、扉１２は任意の位置で維持されるように構成されてもよいし、維持されないように構成されてもよい。図４（ｄ）に示すように、扉１２が開くと、維持機構２５ａと維持機構２５ｂとの係合が外れるので、レバー２１はバネ２２により本図における右方向に移動され、初期位置に戻される。
【００３２】
移動機構２３ａ、２３ｂは、扉１２の上辺のほぼ全域にわたって設けられるので、扉１２の上部の任意の位置を押すことにより扉１２を開けることができる。これにより、使用者の利便性を向上させることができる。移動機構２３ａ、２３ｂは、開閉対象の辺の全部にわたって設けられてもよいし、一部に設けられてもよい。例えば、移動機構２３ａ、２３ｂは、開閉対象の辺の５％以上、１０％以上、２０％以上、３０％以上、４０％以上、５０％以上、６０％以上、７０％以上、８０％以上、又は９０％以上にわたって設けられてもよい。移動機構２３ａ、２３ｂは、開閉対象のいずれの辺に設けられてもよい。移動機構は、開閉対象の２以上の辺に設けられてもよい。この場合、複数の移動機構により１つの移動体が移動されるように構成されてもよいし、複数の移動機構により複数の移動体のそれぞれが移動されるように構成されてもよい。後者の場合、複数の移動体のうち任意の１つにより１つのロック機構による開閉対象のロックが解除されるように構成されてもよい。
【００３３】
図５は、本開示の実施の形態に係る開閉装置の別の構成例を示す。図５（ａ）は、扉１２が設けられた表示ユニット１０の平面図であり、図５（ｂ）は、正面図であり、図５（ｃ）は、右側面図であり、図５（ｄ）は、Ｂ−Ｂ断面図であり、図５（ｅ）は、Ｃ−Ｃ断面図であり、図５（ｆ）は、Ｄ−Ｄ断面図である。
【００３４】
図５（ｅ）に示すように、移動機構２３ｂは、図１〜４に示した例と同様に、複数の斜面２６ｂを有する鋸歯状の形状を有するが、移動機構２３ａは、鋸歯状の形状ではなく、複数の矩形の突起２６ａを有する。この場合も、扉１２が外側から押されると、移動機構２３ａの突起２６ａが移動機構２３ｂの斜面２６ｂを押すことによって、移動機構２３ｂとともにレバー２１が本図における左方向に移動する。移動機構２３ｂは、移動機構２３ａの突起２６ａと嵌合する凹部２７ｂを有しているので、突起２６ａと凹部２７ｂが嵌合すると、それ以上は押し込まれないように構成されている。これにより、レバー２１が必要以上に移動しないようにすることができる。なお、本図の例では、レバー２１に設けられた移動機構２３ｂに斜面２６ｂが設けられ、扉１２に設けられた移動機構２３ａに突起２６ａが設けられているが、逆に、レバー２１に設けられた移動機構２３ｂに突起が設けられ、扉１２に設けられた移動機構２３ａに斜面が設けられてもよい。
【００３５】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００３６】
上記の実施の形態では、移動機構が斜面を有する第１部材と斜面を押す第２部材とにより構成される例を示したが、移動機構は、開閉対象が外側から押されたことによって開閉対象の内側の面に沿って移動体を移動させることが可能な機構であれば、任意の機構であってもよい。上記の実施の形態では、ロック機構が第１係止部と第１被係止部とにより構成される例を示したが、ロック機構は、移動体が所定の解除位置に移動されたときにロックが解除される機構であれば、任意の機構であってもよい。上記の実施の形態では、維持機構が第２係止部と第２被係止部とにより構成される例を示したが、維持機構は、移動体を解除位置に移動したときに、解除位置又は前記解除位置から更に移動した位置に移動体を維持することが可能な機構であれば、任意の機構であってもよい。上記の実施の形態では、移動体がレバーである例を示したが、移動体は、開閉対象の内側の面に沿って移動可能なものであれば、任意の形状を有していてもよい。
【００３７】
本開示の一態様の概要は、次の通りである。本開示のある態様の開閉装置は、開閉対象を閉じた状態にロックするためのロック機構と、開閉対象の内側の面に沿った方向に移動可能に設けられ、所定の解除位置に移動されたときにロック機構による開閉対象のロックが解除されるように構成された移動体と、開閉対象が外側から押されたことによって移動体を解除位置に移動させるための移動機構と、を備える。この態様によると、開閉対象を押すことにより容易に開閉対象を開くことが可能な開閉装置を実現することができる。
【００３８】
移動機構は、開閉対象を開くために開閉対象が外側から押される方向に対して傾いた斜面を有する第１部材と、開閉対象が外側から押されたときに斜面を押すように構成された第２部材と、を備え、第１部材と第２部材の少なくとも一方が相対移動することによって移動体が移動するように構成されてもよい。この態様によると、上記の開閉装置を簡易な構成により実現することができる。
【００３９】
移動機構は、開閉対象の少なくとも１つの辺にわたって設けられてもよい。この態様によると、開閉対象を押して開閉対象を開くことができる範囲を広くとることができるので、使用者の利便性を向上させることができる。
【００４０】
ロック機構は、開閉対象と移動体の一方に設けられた第１被係止部と、他方に設けられた第１係止部と、を備え、第１係止部が第１被係止部を係止することによって開閉対象が閉じた状態にロックされ、移動体が解除位置まで移動したときに第１係止部と第１被係止部との係合が外れることによって開閉対象のロックが解除されてもよい。この態様によると、上記の開閉装置を簡易な構成により実現することができる。
【００４１】
開閉装置は、移動体が初期位置から解除位置に向けて移動したときに初期位置に戻る方向へ移動体を付勢するための付勢部を備えてもよい。この態様によると、簡易な構成によりワン・ウェイ方式の開閉装置を実現することができる。
【００４２】
開閉装置は、移動体が解除位置に移動したときに、解除位置又は解除位置から更に移動した位置に移動体を維持するための維持機構を備えてもよい。この態様によると、使用者の操作ミスにより開閉対象が開かない事態を低減させることができる。
【００４３】
維持機構は、開閉対象と移動体の一方に設けられた第２被係止部と、他方に設けられた第２係止部と、を備え、第２係止部が第２被係止部を係止することによってロック機構による開閉対象のロックが解除される位置に移動体が維持され、開閉対象が開かれたときに第２係止部と第２被係止部との係合が外れることによって移動体が付勢部により初期位置に戻されてもよい。この態様によると、上記の開閉装置を簡易な構成により実現することができる。
【００４４】
初期位置から第１係止部と第１被係止部との係合が外れる位置までの移動体の移動距離よりも、初期位置から第２係止部により第２被係止部が係止されるまでの移動体の移動距離の方が長くてもよい。この態様によると、開閉対象を閉じる際に誤って維持機構により移動体が維持される事態を低減させることができる。
【００４５】
開閉対象を閉じるときに第１係止部により第１被係止部を係止させるために開閉対象を外側から押すときの荷重と、開閉対象を開くときに移動体を初期位置から解除位置まで移動させるために開閉対象を外側から押すときの荷重とが異なるように構成されてもよい。この態様によると、開閉対象を閉じる際に誤って開閉対象が再び開く事態を低減させることができる。
【符号の説明】
【００４６】
１０  表示ユニット、１１  パネル、１２  扉、１３  回転軸、２０  開閉装置、２１  レバー、２２  バネ、２３ａ，２３ｂ  移動機構、２４ａ，２４ｂ  ロック機構、２５ａ，２５ｂ  維持機構、２６ａ  突起、２６ｂ  斜面、２７ｂ  凹部。
【図１】
2020158989.tif 000003
【図２】
2020158989.tif 000004
【図３】
2020158989.tif 000005
【図４】
2020158989.tif 000006
【図５】
2020158989.tif 000007